(57)【要約】  本出願の実施形態は、端末がＣＳＩによって占有される時間−周波数リソース位置を決定できず、チャネル測定に影響を与えるというＮＲシステムにおける技術的問題を解決するために、パイロット構成方法、チャネル測定方法および通信装置を提供する。パイロット構成方法は、基地局が、システムによって事前定義されたＣＳＩ−ＲＳ構成パターンに従って、ＮポートのＣＳＩ−ＲＳの構成情報を決定するステップであって、ここで、ＣＳＩ−ＲＳ構成パターンは、ＰＲＢ内の少なくとも１つのＯＦＤＭシンボルを時間領域単位とする場合、スロット内の異なるポートのＣＳＩ−ＲＳのリソース要素（ＲＥ）の時間周波数位置構成を表し、構成情報には、少なくともポート数とインデックスパラメーターが含まれ、インデックスパラメーターは、Ｎポート内のそれぞれのポートのスロット内のＣＳＩ−ＲＳのリソース要素（ＲＥ）の時間周波数位置を示す、ステップと、基地局が、シグナリングによって基地局に接続された端末に構成情報を送信し、構成情報に従ってＣＳＩ−ＲＳを送信し、その結果、端末は構成情報およびシステムによって事前定義されたＣＳＩ−ＲＳ構成パターンに従って、ＣＳＩ−ＲＳのＲＥのスロットにおける時間周波数位置を決定し、時間周波数位置上のＣＳＩ−ＲＳを使用してチャネル測定を実行するステップとを有する。
2020530961.tif 000002
【特許請求の範囲】
【請求項１】
基地局が、システムによって事前定義されたチャネル状態情報基準信号（ＣＳＩ−ＲＳ）構成パターンに従って、ＮポートＣＳＩ−ＲＳの構成情報を決定するステップと、
前記基地局が、シグナリングによって前記基地局に接続された端末に前記構成情報を送信し、前記構成情報に従ってＣＳＩ−ＲＳを送信し、その結果、前記端末に、前記構成情報およびシステムによって事前定義されたＣＳＩ−ＲＳ構成パターンに従って、前記ＮポートＣＳＩ−ＲＳのＲＥのスロットにおける時間周波数位置を決定し、前記時間周波数位置上の前記ＣＳＩ−ＲＳを使用してチャネル測定を実行させるようにするステップとを有し、
前記ＣＳＩ−ＲＳ構成パターンは、物理リソースブロック（ＰＲＢ）内の少なくとも１つの直交周波数分割多重（ＯＦＤＭ）シンボルを時間領域単位とする場合、スロット内の異なるポートのＣＳＩ−ＲＳのリソース要素（ＲＥ）の時間周波数位置構成を表し、前記構成情報には、少なくともポート数とインデックスパラメーターが含まれ、前記ポート数の値はＮであり、前記インデックスパラメーターは、Ｎポート内のそれぞれのポートのスロット内のＣＳＩ−ＲＳのリソース要素（ＲＥ）の時間周波数位置を示し、Ｎは正の整数であることを特徴とする基地局に適用するパイロット構成方法。
【請求項２】
前記インデックスパラメーターは、構成パターンインデックスおよびＯＦＤＭシンボルインデックスを含み、前記構成パターンインデックスは、前記システムによって事前定義されたＣＳＩ−ＲＳ構成パターンに従って決定される前記ＣＳＩ−ＲＳのＲＥの周波数領域上の位置インデックスであり、前記ＯＦＤＭシンボルインデックスは、時間領域における前記ＣＳＩ−ＲＳのＲＥに対応するＯＦＤＭシンボルの位置を示すことを特徴とする請求項１に記載される基地局に適用するパイロット構成方法。
【請求項３】
Ｎ＝１、２または４のとき、
前記基地局が、システムによって事前定義されたＣＳＩ−ＲＳ構成パターンに従って、ＮポートＣＳＩ−ＲＳの構成情報を決定するとき、
前記基地局は、システムによって事前定義されたＣＳＩ−ＲＳ構成パターンに従って、スロット内のＮポートＣＳＩ−ＲＳのＲＥのインデックスパラメーターを決定し、
前記基地局は、前記Ｎポートのポート数および前記インデックスパラメーターに従って、前記ＣＳＩ−ＲＳの構成情報を決定することを特徴とする請求項２に記載される基地局に適用するパイロット構成方法。
【請求項４】
Ｎ≧８のとき、前記構成情報は、スロット内の前記ＮポートＣＳＩ−ＲＳのＲＥの集約モードを示す集約パラメーターをさらに含み、
前記基地局が、システムによって事前定義されたＣＳＩ−ＲＳ構成パターンに従って、ＮポートＣＳＩ−ＲＳの構成情報を決定するとき、
前記基地局は、前記ＮポートＣＳＩ−ＲＳの集約パラメーターを決定し、システムによって事前定義されたＣＳＩ−ＲＳ構成パターンに従って、スロット内の前記ＮポートＣＳＩ−ＲＳの各集約部分のＲＥのそれぞれのインデックスパラメーターを決定し、
前記基地局は、前記Ｎポートのポート数、前記インデックスパラメーターおよび前記集約パラメーターに従って、前記ＣＳＩ−ＲＳの構成情報を決定することを特徴とする請求項２に記載される基地局に適用するパイロット構成方法。
【請求項５】
前記基地局が、シグナリングによって前記構成情報中のインデックスパラメーターを接続された端末に送信するとき、
前記基地局は、シグナリングによって前記ＮポートＣＳＩ−ＲＳのすべてのＲＥの構成パターンインデックスおよびＯＦＤＭシンボルインデックスを前記端末に送信し、または
前記基地局は、シグナリングによって前記ＮポートＣＳＩ−ＲＳの少なくとも１つのＲＥの構成パターンインデックスおよびＯＦＤＭシンボルインデックスを前記端末に送信することを特徴とする請求項４に記載される基地局に適用するパイロット構成方法。
【請求項６】
端末が、シグナリングを介して基地局によって送信されたＮポートチャネル状態基準信号（ＣＳＩ−ＲＳ）の構成情報を受信し、前記構成情報に従って前記基地局によって送信されたＣＳＩ−ＲＳを受信するステップと、
前記端末が、前記構成情報およびシステムによって事前定義されたＣＳＩ−ＲＳ構成パターンに従って、スロット内の前記ＮポートＣＳＩ−ＲＳの時間周波数位置を決定するステップと、
前記端末が、前記時間周波数位置上のＣＳＩ−ＲＳを使用してチャネル測定を実行するステップとを有し、
ここで、前記構成情報には、少なくともポート数とインデックスパラメーターが含まれ、前記インデックスパラメーターは、Ｎポート内のそれぞれのポートのスロット内のＣＳＩ−ＲＳのリソース要素（ＲＥ）の時間周波数位置を示し、Ｎは正の整数であり、
ここで、ＣＳＩ−ＲＳ構成パターンは、物理リソースブロック（ＰＲＢ）内の少なくとも１つの直交周波数分割多重（ＯＦＤＭ）シンボルを時間領域単位とする場合、異なるポートのＣＳＩ−ＲＳのＲＥのスロットにおける時間周波数位置の構成を表すことを特徴とする端末に適用するチャネル測定方法。
【請求項７】
前記構成情報は、スロット内の前記ＮポートＣＳＩ−ＲＳのＲＥの集約モードを示す集約パラメーターをさらに含み、
前記端末が、前記構成情報およびシステムによって事前定義されたＣＳＩ−ＲＳ構成パターンに従って、前記ＮポートＣＳＩ−ＲＳのＲＥのスロットにおける時間周波数位置を決定するとき、
前記端末は、前記ポート数、前記集約パラメーター、前記インデックスパラメーターおよびシステムによって事前定義されたＣＳＩ−ＲＳ構成パターンに従って、スロット内の前記ＮポートＣＳＩ−ＲＳの各集約部分の時間周波数位置を決定することを特徴とする請求項６に記載の端末に適用するチャネル測定方法。
【請求項８】
システムによって事前定義されたチャネル状態情報基準信号（ＣＳＩ−ＲＳ）構成パターンに従って、ＮポートＣＳＩ−ＲＳの構成情報を決定するように構成された構成モジュールと、
シグナリングを介して基地局に接続された端末に前記構成情報を送信し、前記構成情報に従ってＣＳＩ−ＲＳを送信し、前記端末に、前記構成情報およびシステムによって事前定義されたＣＳＩ−ＲＳ構成パターンに従って、前記ＮポートＣＳＩ−ＲＳのＲＥのスロットにおける時間周波数位置を決定し、前記時間周波数位置上のＣＳＩ−ＲＳを使用してチャネル測定を実行させるようにする送信モジュールとを備え、
ここで、前記ＣＳＩ−ＲＳ構成パターンは、物理リソースブロック（ＰＲＢ）内の少なくとも１つの直交周波数分割多重（ＯＦＤＭ）シンボルを時間領域単位とする場合、スロット内の異なるポートのＣＳＩ−ＲＳのリソース要素（ＲＥ）の時間周波数位置構成を表し、前記構成情報には、少なくともポート数とインデックスパラメーターが含まれ、前記ポート数の値はＮであり、前記インデックスパラメーターは、Ｎポート内のそれぞれのポートのスロット内のＣＳＩ−ＲＳのリソース要素（ＲＥ）の時間周波数位置を示し、Ｎは正の整数であることを特徴とする基地局。
【請求項９】
前記インデックスパラメーターは、構成パターンインデックスおよびＯＦＤＭシンボルインデックスを含み、前記構成パターンインデックスは、前記システムによって事前定義されたＣＳＩ−ＲＳ構成パターンに従って決定される前記ＣＳＩ−ＲＳのＲＥの周波数領域上の位置インデックスであり、前記ＯＦＤＭシンボルインデックスは、時間領域における前記ＣＳＩ−ＲＳのＲＥに対応するＯＦＤＭシンボルの位置を示すことを特徴とする請求項８に記載の基地局。
【請求項１０】
Ｎ＝１、２または４のとき、
前記構成モジュールは、
システムによって事前定義されたＣＳＩ−ＲＳ構成パターンに従って、スロット内の前記ＣＳＩ−ＲＳのＲＥのインデックスパラメーターを決定するように構成された第１の決定モジュールと、
前記Ｎポートのポート数および前記インデックスパラメーターに従って、前記ＣＳＩ−ＲＳの構成情報を決定するように構成された第２の決定モジュールとを備えることを特徴とする請求項９に記載の基地局。
【請求項１１】
Ｎ≧８のとき、前記構成情報は、スロット内の前記ＮポートＣＳＩ−ＲＳのＲＥの集約モードを示す集約パラメーターをさらに含み、
前記構成モジュールは、
前記ＮポートＣＳＩ−ＲＳの集約パラメーターを決定し、システムによって事前定義されたＣＳＩ−ＲＳ構成パターンに従って、スロット内の前記ＮポートＣＳＩ−ＲＳの各集約部分のＲＥのそれぞれのインデックスパラメーターを決定するように構成された第３の決定モジュールと、
前記Ｎポートのポート数、前記インデックスパラメーターおよび前記集約パラメーターに従って、前記ＣＳＩ−ＲＳの構成情報を決定するように構成された第４の決定モジュールとを備えることを特徴とする請求項９に記載の基地局。
【請求項１２】
前記送信モジュールが、シグナリングを介して前記構成情報中のインデックスパラメーターを接続された端末に送信するとき、
前記基地局において、シグナリングによって前記ＮポートＣＳＩ−ＲＳのすべてのＲＥの構成パターンインデックスおよびＯＦＤＭシンボルインデックスを前記端末に送信し、または
前記基地局において、シグナリングによって前記ＮポートＣＳＩ−ＲＳの少なくとも１つのＲＥの構成パターンインデックスおよびＯＦＤＭシンボルインデックスを前記端末に送信することを特徴とする請求項１１に記載の基地局。
【請求項１３】
シグナリングを介して基地局によって送信されたＮポートチャネル状態基準信号（ＣＳＩ−ＲＳ）の構成情報を受信し、前記構成情報に従って前記基地局によって送信されたＣＳＩ−ＲＳを受信するように構成された受信モジュールと、
前記構成情報およびシステムによって事前定義されたＣＳＩ−ＲＳ構成パターンに従って、前記ＮポートＣＳＩ−ＲＳのＲＥのスロットにおける時間周波数位置を決定するように構成された決定モジュールと、
前記時間周波数位置上のＣＳＩ−ＲＳを使用してチャネル測定を実行するように構成された測定モジュールとを備え、
ここで、前記構成情報には、少なくともポート数とインデックスパラメーターが含まれ、前記インデックスパラメーターは、前記スロット内のＣＳＩ−ＲＳのリソース要素（ＲＥ）の時間周波数位置を示し、Ｎは正の整数であり、
ここで、ＣＳＩ−ＲＳ構成パターンは、物理リソースブロック（ＰＲＢ）内の少なくとも１つの直交周波数分割多重（ＯＦＤＭ）シンボルを時間領域単位とする場合、異なるポートのＣＳＩ−ＲＳのＲＥのスロットにおける時間周波数位置の構成を表すことを特徴とする端末。
【請求項１４】
前記構成情報は、スロット内の前記ＣＳＩ−ＲＳのＲＥの集約モードを表す集約パラメーターをさらに含み、
前記決定モジュールは、前記ポート数、前記集約パラメーター、前記インデックスパラメーターおよびシステムによって事前定義されたＣＳＩ−ＲＳ構成パターンに従って、スロット内の前記ＮポートＣＳＩ−ＲＳの各集約部分の時間周波数位置を決定することを特徴とする請求項１３に記載の端末。
【請求項１５】
メモリに格納されたコンピュータプログラムを実行するときに、請求項１から７のいずれか一項に記載の方法を実施するように構成されたプロセッサを含むコンピュータデバイス。
【請求項１６】
コンピュータで実行されたときに、コンピュータに請求項１から７のいずれか１項に記載の方法を実行させるコンピュータ命令を格納するコンピュータ可読記憶媒体。
【発明の詳細な説明】
【技術分野】
【０００１】
関連出願の相互参照
本出願は、２０１７年８月１０日に中国特許局に提出し、出願番号が第２０１７１０６８２６４５．１号であり、発明名称が「パイロット構成方法、チャネル測定方法および通信装置」である中国特許出願を基礎とする優先権を主張し、その開示の総てをここに取り込む。
【０００２】
本発明は、通信技術分野に関し、特にパイロット構成方法、チャネル測定方法および通信装置に関する。
【背景技術】
【０００３】
ＭＩＭＯ（Ｍｕｌｔｉ−Ｉｎｐｕｔ Ｍｕｌｔｉｐｌｅ−Ｏｕｔｐｕｔ，多入力多出力）技術は、伝送品質および効率を改善する物理層の重要なマルチアンテナ技術として、新世代の通信システムにおいて重要な役割を果たす。新しい無線アクセス技術（Ｎｅｗ ＲＡＴ（ｒａｄｉｏ ａｃｃｅｓｓ ｔｅｃｈｎｏｌｏｇｙ），ＮＲ）システムまたはＬＴＥ（Ｌｏｎｇ Ｔｅｒｍ Ｅｖｏｌｕｔｉｏｎ）システムは、送信ダイバーシティ、空間多重化技術、ビーム形成（ＢＦ，Ｂｅａｍ Ｆｏｒｍｉｎｇ）およびその他のＭＩＭＯ技術をサポートする。
【０００４】
ＭＩＭＯ技術の利点をより有効に利用するために、システムのパイロット構造もそれに応じて変更された。一般に、基地局によって送信されるダウンリンクパイロットには、復調パイロット（つまり、復調基準信号（Ｄｅｍｏｄｕｌａｔｉｏｎ Ｒｅｆｅｒｅｎｃｅ Ｓｉｇｎａｌ，ＤＭＲＳ））と測定パイロット（つまり、チャネル状態表示基準信号（Ｃｈａｎｎｅｌ Ｓｔａｔｅ Ｉｎｄｉｃａｔｉｏｎ Ｒｅｆｅｒｅｎｃｅ Ｓｉｇｎａｌ，ＣＳＩ−ＲＳ））が含まれる。ここで、ＣＳＩ−ＲＳは、端末によるチャネル測定に使用できる定期的に送信されるパイロット構造であり、サブフレームに複数の可能なパターン（Ｐａｔｔｅｒｎ）がある。
【０００５】
現在、ＮＲシステムでは、チャネル状態情報（Ｃｈａｎｎｅｌ Ｓｔａｔｅ Ｉｎｆｏｒｍａｔｉｏｎ，ＣＳＩ）を取得するためのＣＳＩ−ＲＳパイロット信号の密度がＣＳＩ−ポートで１ＲＥ／ＰＲＢ／Ｐｏｒｔポートである場合、４つの基本コンポーネントＣＳＩ−ＲＳ ＲＥパターン（ｃｏｍｐｏｎｅｎｔ ＣＳＩ−ＲＳ ＲＥ ｐａｔｔｅｒｎ）が定義される。図１に示すように、１つのＰＲＢでは、１ポートＣＳＩ−ＲＳ構成パターンはリソース要素（Ｒｅｓｏｕｒｃｅ Ｅｌｅｍｅｎｔ，ＲＥ）で構成され、２ポートＣＳＩ−ＲＳ構成パターンは１つの直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，ＯＦＤＭ）シンボル上の周波数領域で隣接する２つのＲＥで構成され、４ポートＣＳＩ−ＲＳ構成パターンには２種類のパターンが含まれ、：１つは１つのＯＦＤＭシンボルの周波数領域で隣接する４つのＲＥで構成され（パターンａ）、もう１つは時間領域で隣接する２つのＯＦＤＭシンボルのそれぞれの周波数領域で隣接する２つのＲＥの４つのＲＥで構成される（パターンｂ）。上位ポートのＣＳＩ−ＲＳ構成パターンは、これらのＣＳＩ−ＲＳ構成パターンを集約することで取得できる。たとえば、４つの４ポートＣＳＩ−ＲＳ構成パターンを集約することで１６ポートＣＳＩ−ＲＳを取得できる。
【発明の概要】
【発明が解決しようとする課題】
【０００６】
実際の応用では、端末は、データを報告するときにＣＳＩ−ＲＳを使用してチャネル測定を実行する必要がある。ＮＲシステムにおいて、上記のＣＳＩ−ＲＳ ＲＥパターンのみが定義され、集約によって上位ポートＣＳＩ−ＲＳパターンが生成されるため、ＮポートＣＳＩ−ＲＳがＰＲＢにおいて占有する時間周波数リソース位置には複数の可能性がある。ただし、基地局によって構成されたＮポートＣＳＩ−ＲＳが占有する時間周波数リソース位置を端末に通知する方法に関する対応するソリューションはまだ案出されていない。
【０００７】
本出願の実施形態は、端末がＣＳＩによって占有される時間−周波数リソース位置を決定できず、チャネル測定に影響を与えるというＮＲシステムにおける技術的問題を解決するために、パイロット構成方法、チャネル測定方法および通信装置を提供する。
【課題を解決するための手段】
【０００８】
第１の態様では、本出願の実施形態に係るパイロット構成方法では、
基地局は、システムによって事前定義されたチャネル状態情報基準信号（ＣＳＩ−ＲＳ）構成パターンに従って、ＮポートＣＳＩ−ＲＳの構成情報を決定し、ここで、前記ＣＳＩ−ＲＳ構成パターンは、物理リソースブロック（ＰＲＢ）内の少なくとも１つの直交周波数分割多重（ＯＦＤＭ）シンボルを時間領域単位とする場合、スロット内の異なるポートのＣＳＩ−ＲＳのリソース要素（ＲＥ）の時間周波数位置構成を表し、前記構成情報には、少なくともポート数とインデックスパラメーターが含まれ、前記ポート数の値はＮであり、前記インデックスパラメーターは、Ｎポート内のそれぞれのポートのスロット内のＣＳＩ−ＲＳのリソース要素（ＲＥ）の時間周波数位置を示し、Ｎは正の整数であり、
前記基地局は、シグナリングによって前記基地局に接続された端末に前記構成情報を送信し、前記構成情報に従ってＣＳＩ−ＲＳを送信し、その結果、端末に、前記構成情報およびシステムによって事前定義されたＣＳＩ−ＲＳ構成パターンに従って、前記ＮポートＣＳＩ−ＲＳのＲＥのスロットにおける時間周波数位置を決定し、前記時間周波数位置上の前記ＣＳＩ−ＲＳを使用してチャネル測定を実行させるようにする。
【０００９】
可能な実施形態では、前記インデックスパラメーターは、構成パターンインデックスおよびＯＦＤＭシンボルインデックスを含み、前記構成パターンインデックスは、前記システムによって事前定義されたＣＳＩ−ＲＳ構成パターンに従って決定される前記ＣＳＩ−ＲＳのＲＥの周波数領域上の位置インデックスであり、前記ＯＦＤＭシンボルインデックスは、時間領域における前記ＣＳＩ−ＲＳのＲＥに対応するＯＦＤＭシンボルの位置を示す。
【００１０】
可能な実施形態では、Ｎ＝１、２または４のとき、前記基地局がシステムによって事前定義されたＣＳＩ−ＲＳ構成パターンに従って、ＮポートＣＳＩ−ＲＳの構成情報を決定する場合、
前記基地局は、システムによって事前定義されたＣＳＩ−ＲＳ構成パターンに従って、スロット内の前記ＣＳＩ−ＲＳのＲＥのインデックスパラメーターを決定し、
前記基地局は、前記Ｎポートのポート数および前記インデックスパラメーターに従って、前記ＣＳＩ−ＲＳの構成情報を決定する。
【００１１】
可能な実施形態では、Ｎ≧８のとき、前記構成情報は、スロット内の前記ＮポートＣＳＩ−ＲＳのＲＥの集約モードを示す集約パラメーターをさらに含み、前記基地局がシステムによって事前定義されたＣＳＩ−ＲＳ構成パターンに従って、ＮポートＣＳＩ−ＲＳの構成情報を決定する場合、
前記基地局は、前記ＮポートＣＳＩ−ＲＳの集約パラメーターを決定し、システムによって事前定義されたＣＳＩ−ＲＳ構成パターンに従って、スロット内の前記ＮポートＣＳＩ−ＲＳの各集約部分のＲＥのそれぞれのインデックスパラメーターを決定し、
前記基地局は、前記Ｎポートのポート数、前記インデックスパラメーターおよび前記集約パラメーターに従って、前記ＣＳＩ−ＲＳの構成情報を決定する。
【００１２】
可能な実施形態では、前記基地局が、シグナリングによって前記構成情報中のインデックスパラメーターを接続された端末に送信するとき、
前記基地局は、シグナリングによって前記ＮポートＣＳＩ−ＲＳのすべてのＲＥの構成パターンインデックスおよびＯＦＤＭシンボルインデックスを前記端末に送信し、または
前記基地局は、シグナリングによって前記ＮポートＣＳＩ−ＲＳの少なくとも１つのＲＥの構成パターンインデックスおよびＯＦＤＭシンボルインデックスを前記端末に送信する。
【００１３】
第２の態様では、本出願の実施形態に係るチャネル測定方法は、端末に適用され、当該方法は、
シグナリングを介して基地局によって送信されたＮポートチャネル状態基準信号（ＣＳＩ−ＲＳ）の構成情報を受信し、前記構成情報に従って前記基地局によって送信されたＣＳＩ−ＲＳを受信するステップと、
前記端末が、前記構成情報およびシステムによって事前定義されたＣＳＩ−ＲＳ構成パターンに従って、スロット内の前記ＣＳＩ−ＲＳのＲＥの時間周波数位置を決定するステップと、
前記端末が、前記時間周波数位置上のＣＳＩ−ＲＳを使用してチャネル測定を実行するステップとを有し、
ここで、前記構成情報には、少なくともポート数とインデックスパラメーターが含まれ、前記インデックスパラメーターは、Ｎポート内のそれぞれのポートのスロット内のＣＳＩ−ＲＳのリソース要素（ＲＥ）の時間周波数位置を示し、Ｎは正の整数であり、
ここで、ＣＳＩ−ＲＳ構成パターンは、物理リソースブロック（ＰＲＢ）内の少なくとも１つの直交周波数分割多重（ＯＦＤＭ）シンボルを時間領域単位とする場合、異なるポートのＣＳＩ−ＲＳのＲＥのスロットにおける時間周波数位置の構成を表す。
【００１４】
可能な実施形態では、前記構成情報がスロット内の前記ＣＳＩ−ＲＳのＲＥの集約モードを表す集約パラメーターをさらに含む場合、
前記端末が、前記構成情報およびシステムによって事前定義されたＣＳＩ−ＲＳ構成パターンに従って、前記ＮポートＣＳＩ−ＲＳのＲＥのスロットにおける時間周波数位置を決定する場合、
前記端末は、前記ポート数、前記集約パラメーター、前記インデックスパラメーターおよびシステムによって事前定義されたＣＳＩ−ＲＳ構成パターンに従って、スロット内の前記ＮポートＣＳＩ−ＲＳの各集約部分の時間周波数位置を決定する。
【００１５】
第３の態様では、本出願の実施形態に係る基地局は、
システムによって事前定義されたチャネル状態情報基準信号（ＣＳＩ−ＲＳ）構成パターンに従って、Ｎポートの数のＣＳＩ−ＲＳの構成情報を決定するように構成された構成モジュールと、
シグナリングを介して前記基地局に接続された端末に前記構成情報を送信し、前記構成情報に従ってＣＳＩ−ＲＳを送信し、前記端末に、前記構成情報およびシステムによって事前定義されたＣＳＩ−ＲＳ構成パターンに従って、前記ＮポートＣＳＩ−ＲＳのＲＥのスロットにおける時間周波数位置を決定し、前記時間周波数位置上の前記ＣＳＩ−ＲＳを使用してチャネル測定を実行させるようにする送信モジュールとを備え、
ここで、前記ＣＳＩ−ＲＳ構成パターンは、物理リソースブロック（ＰＲＢ）内の少なくとも１つの直交周波数分割多重（ＯＦＤＭ）シンボルを時間領域単位とする場合、スロット内の異なるポートのＣＳＩ−ＲＳのリソース要素（ＲＥ）の時間周波数位置構成を表し、前記構成情報には、少なくともポート数とインデックスパラメーターが含まれ、前記ポート数の値はＮであり、前記インデックスパラメーターは、Ｎポート内のそれぞれのポートのスロット内のＣＳＩ−ＲＳのリソース要素（ＲＥ）の時間周波数位置を示し、Ｎは正の整数である。
【００１６】
可能な実施形態では、前記インデックスパラメーターは、構成パターンインデックスおよびＯＦＤＭシンボルインデックスを含み、前記構成パターンインデックスは、前記システムによって事前定義されたＣＳＩ−ＲＳ構成パターンに従って決定される前記ＣＳＩ−ＲＳのＲＥの周波数領域上の位置インデックスであり、前記ＯＦＤＭシンボルインデックスは、時間領域における前記ＣＳＩ−ＲＳのＲＥに対応するＯＦＤＭシンボルの位置を示す。
【００１７】
可能な実施形態では、Ｎ＝１、２または４のとき、前記構成モジュールは、
システムによって事前定義されたＣＳＩ−ＲＳ構成パターンに従って、前記スロット内のＮポートＣＳＩ−ＲＳのＲＥのインデックスパラメーターを決定するように構成された第１の決定モジュールと、
前記Ｎポートのポート数および前記インデックスパラメーターに従って、前記ＮポートＣＳＩ−ＲＳの構成情報を決定するように構成された第２の決定モジュールとを備える。
【００１８】
可能な実施形態では、Ｎ≧８のとき、前記構成情報は集約パラメーターをさらに含み、前記集約パラメーターは、スロット内の前記ＮポートＣＳＩ−ＲＳのＲＥの集約モードを表し、前記構成モジュールは、
前記ＮポートＣＳＩ−ＲＳの集約パラメーターを決定し、システムによって事前定義されたＣＳＩ−ＲＳ構成パターンに従って、スロット内の前記ＮポートＣＳＩ−ＲＳの各集約部分のＲＥのそれぞれのインデックスパラメーターを決定するように構成された第３の決定モジュールと、
前記Ｎポートのポート数、前記インデックスパラメーターおよび前記集約パラメーターに従って、前記ＮポートＣＳＩ−ＲＳの構成情報を決定するように構成された第４の決定モジュールとを備える。
【００１９】
可能な実施形態では、前記送信モジュールが、シグナリングを介して前記構成情報中のインデックスパラメーターを接続された端末に送信するとき、具体的に、
前記基地局は、シグナリングによって前記ＮポートＣＳＩ−ＲＳのすべてのＲＥの構成パターンインデックスおよびＯＦＤＭシンボルインデックスを前記端末に送信し、または
前記基地局は、シグナリングによって前記ＮポートＣＳＩ−ＲＳの少なくとも１つのＲＥの構成パターンインデックスおよびＯＦＤＭシンボルインデックスを前記端末に送信する。
【００２０】
第４の態様では、本出願の実施形態に係る端末は、
シグナリングを介して基地局によって送信されたＮポートチャネル状態基準信号（ＣＳＩ−ＲＳ）の構成情報を受信し、前記構成情報に従って前記基地局によって送信されたＣＳＩ−ＲＳを受信するように構成された受信モジュールと、
前記構成情報およびシステムによって事前定義されたＣＳＩ−ＲＳ構成パターンに従って、スロット内の前記ＮポートＣＳＩ−ＲＳの時間周波数位置を決定するように構成された決定モジュールと、
前記時間周波数位置上のＣＳＩ−ＲＳを使用してチャネル測定を実行するように構成された測定モジュールとを備え、
ここで、前記構成情報には、少なくともポート数とインデックスパラメーターが含まれ、前記インデックスパラメーターは、Ｎポート内のそれぞれのポートのスロット内のＣＳＩ−ＲＳのリソース要素（ＲＥ）の時間周波数位置を示し、Ｎは正の整数であり、
ここで、ＣＳＩ−ＲＳ構成パターンは、物理リソースブロック（ＰＲＢ）内の少なくとも１つの直交周波数分割多重（ＯＦＤＭ）シンボルを時間領域単位とする場合、異なるポートのＣＳＩ−ＲＳのＲＥのスロットにおける時間周波数位置の構成を表す。
【００２１】
可能な実施形態では、前記構成情報がスロット内の前記ＣＳＩ−ＲＳのＲＥの集約モードを表す集約パラメーターをさらに含む場合、
前記決定モジュールは、前記ポート数、前記集約パラメーター、前記インデックスパラメーターおよびシステムによって事前定義されたＣＳＩ−ＲＳ構成パターンに従って、スロット内の前記ＮポートＣＳＩ−ＲＳの各集約部分の時間周波数位置を決定する。
【００２２】
第５の態様では、本出願の実施形態は、メモリに格納されたコンピュータプログラムを実行するときに、第１の態様および第２の態様に係る方法を実施するように構成されたプロセッサを含むコンピュータデバイスを提供する。
【００２３】
第６の態様では、本出願の実施形態は、コンピュータで実行されたときに、コンピュータに第１の態様および第２の態様に係る方法を実行させるコンピュータ命令を格納するコンピュータ可読記憶媒体を提供する。
【発明の効果】
【００２４】
本出願の実施形態では、基地局は、異なるポートのＣＳＩ−ＲＳに対して定義されたＣＳＩ−ＲＳ構成パターンであるシステム事前定義に従って、ＮポートＣＳＩ−ＲＳの構成情報を決定することができる。当該システムの事前定義は、物理リソースブロック（ＰＲＢ）内の少なくとも１つの直交周波数分割多重（ＯＦＤＭ）シンボルを時間周波数単位として、異なるポートのＣＳＩ−ＲＳに対して定義されたＣＳＩ−ＲＳ構成パターンである。当該構成情報にはポート数とインデックスパラメーターが含まれ、ポート数の値はＮであり、インデックスパラメーターは、スロット内のＣＳＩ−ＲＳのリソース要素（ＲＥ）の時間周波数位置を示す。さらに、基地局は、シグナリングによって構成情報を端末に送信し、構成情報に従って端末にＣＳＩ−ＲＳを送信した後、端末は、構成情報およびＣＳＩ−ＲＳ構成パターンしたがって、スロット内のＣＳＩ−ＲＳのＲＥの時間周波数位置を決定し、時間周波数位置上のＣＳＩ−ＲＳを使用してチャネル測定、ＣＳＩ計算などを実行する。時間周波数位置で、端末がＣＳＩ−ＲＳによって占有される時間周波数リソース位置を決定できないというＮＲシステムのチャネル測定の技術的問題を効果的に解決する。
【図面の簡単な説明】
【００２５】
【図１】先行技術におけるＣＳＩ−ＲＳ構成パターンの概略図である。
【図２】本出願の実施形態によるパイロット構成方法のフローチャートである。
【図３Ａ】本出願の実施形態によるチャネル測定方法のフローチャートである。
【図３Ｂ】本出願の実施形態によるチャネル測定方法のフローチャートである。
【図３Ｃ】本出願の実施形態によるチャネル測定方法のフローチャートである。
【図３Ｄ】本出願の実施形態によるチャネル測定方法のフローチャートである。
【図４】本出願の実施形態による３２ポートのＣＳＩ−ＲＳ構成パターンの概略図である。
【図５】本出願の実施形態による４ポートのＣＳＩ−ＲＳ構成パターンの概略図である。
【図６】本出願の実施形態によるチャネル測定方法のフローチャートである。
【図７】本出願の実施形態による基地局の概略モジュール図である。
【図８】本出願の実施形態による端末の概略モジュール図である。
【図９】本出願の実施形態によるコンピュータデバイスの概略モジュール図である。
【発明を実施するための形態】
【００２６】
本発明に係る実施形態の目的、技術案及びメリットをより明確にするため、以下、本発明に係る実施形態の図面を参考しながら、本発明に係る実施形態の技術案を明確かつ十分に説明する。説明した実施形態は本発明の一部の実施形態にすぎず、全部の実施形態ではないのが明らかである。本発明の実施形態に基づき、当業者は、創造性作業を行わない限りに得られた他の実施形態は、全部本発明の保護範囲に属する。
【００２７】
本明細書で説明される技術的解決策は、第５世代移動通信技術（５Ｇ）システムで使用されてもよく、また、次世代移動通信システムで使用されてもよい。
【００２８】
以下では、当業者の理解を容易にするために、本出願の実施形態におけるいくつかの用語を説明する。
【００２９】
（１）基地局は、エアインターフェースを介して１つ以上のセクタを介して端末と通信するアクセスネットワーク内のデバイスを指し得る。たとえば、基地局は、ＬＴＥ（Ｌｏｎｇ Ｔｅｒｍ Ｅｖｏｌｕｔｉｏｎ）システムまたはＬＴＥ−Ａ（ＬＴＥ−Ａｄｖａｎｃｅｄ）システムに進化ノードＢ（ＮｏｄｅＢまたはｅＮＢまたはｅ−ＮｏｄｅＢ）を含めるか、５Ｇシステムの次世代ノードＢ（Ｎｅｘｔ ｇｅｎｅｒａｔｉｏｎ Ｎｏｄｅ Ｂ，ｇＮＢ）を含むこともできる。本出願の実施形態における基地局は、主に５Ｇシステムの基地局を指す。
【００３０】
（２）端末は、無線通信機能を有する装置であってもよい。端末は、基地局によって送信されたダウンリンクデータ（例えば、ＣＳＩ−ＲＳ）を受信し、対応するデータ（例えば、ＣＳＩ）を報告することができる。端末は、ＲＡＮ（Ｒａｄｉｏ Ａｃｃｅｓｓ Ｎｅｔｗｏｒｋ）を介してコアネットワークと通信できる。端末には、ユーザー機器（ＵＥ）、ワイヤレス端末、モバイル端末、サブスクライバーユニット、サブスクライバーステーション、モバイルステーション、モバイル、リモートステーション、アクセスポイント（ＡＰ）、リモートターミナル、アクセスターミナル、ユーザーターミナル、ユーザーエージェント、またはユーザーがデバイスなど含まれる。たとえば、携帯電話（または「セルラー電話」と呼ばれる）、モバイル端末を備えたコンピュータ、ポータブル、ポケット、ハンドヘルド、コンピュータ内蔵または車両搭載のモバイルデバイス、スマートウェアラブルデバイスなどが含まれる。たとえば、パーソナルコミュニケーションサービス（ＰＣＳ）電話、コードレス電話、セッション開始プロトコル（ＳＩＰ）電話、ワイヤレスローカルループ（ＷＬＬ）ステーション、パーソナルデジタルアシスタント（ＰＤＡ）、スマートウォッチ、スマートヘルメット、スマートグラス、スマートブレスレット、その他のデバイスなどが含まれる。また、バーコード、無線周波数識別（ＲＦＩＤ）センサー、全地球測位システム（ＧＰＳ）など、限られたデバイス（低消費電力のデバイス、限られたストレージ機能のデバイス、または限られたコンピューティング機能のデバイスなど）も含まれる）、レーザースキャナーおよびその他の情報検出デバイスが含まれる。
【００３１】
（３）アンテナポートとも呼ばれるポートは、送信に使用される論理ポートを指し得る。１つのポートは、１つ以上の実際の物理アンテナに対応する場合がある。一般に、アンテナポートはアンテナの参照信号（ＲＳ）によって定義される。
【００３２】
以下、本発明の実施形態による技術的解決策を図面を参照して紹介する。
【００３３】
第１の実施形態
本出願の実施形態は、基地局に適用できるパイロット構成方法を提供する。図２に示すように、この方法は次のように説明できる。
【００３４】
Ｓ１１：基地局は、システムによって事前定義されたＣＳＩ−ＲＳ構成パターンに従って、ＮポートＣＳＩ−ＲＳの構成情報を決定し、ここで、ＣＳＩ−ＲＳ構成パターンは、リソースデータブロック（Ｐｈｙｓｉｃａｌ ＲＥｓｏｕｒｃｅ Ｂｌｏｃｋ，ＰＲＢ）内の少なくとも１つの直交周波数分割多重（ＯＦＤＭ）シンボルを時間領域単位とする場合、スロット内の異なるポートのＣＳＩ−ＲＳのリソース要素（ＲＥ）の時間周波数位置構成を表す。構成情報には、少なくともポート数とインデックスパラメーターが含まれ、ポート数の値はＮであり、インデックスパラメーターは、Ｎポート内のそれぞれのポートのスロット内のＣＳＩ−ＲＳのリソース要素（ＲＥ）の時間周波数位置を示し、Ｎは正の整数である。
【００３５】
Ｓ１２：基地局は、シグナリングによって基地局に接続された端末に構成情報を送信し、構成情報に従ってＣＳＩ−ＲＳを送信し、その結果、端末は構成情報およびシステムによって事前定義されたＣＳＩ−ＲＳ構成パターンに従って、スロット内のＮポートＣＳＩ−ＲＳのＲＥの時間周波数位置を決定し、時間周波数位置上のＣＳＩ−ＲＳを使用してチャネル測定を実行する。
【００３６】
具体的には、基地局は、５ＧシステムなどのＮＲシステム内の基地局であってもよい。
【００３７】
本出願の実施形態では、Ｓ１１の前に、システムは、１つのＰＲＢ内の１つまたは２つのＯＦＤＭシンボルを時間周波数単位として使用し、異なるポートのＣＳＩ−ＲＳの対応するＣＳＩ−ＲＳ構成パターンを定義し得る。ここで、１つのＰＲＢのサイズは時間領域で１スロットで、周波数領域で１２個のサブキャリアを含む。通常の場合、１つのスロットに含まれるＯＦＤＭシンボルの数は７または１４で、８４または１６８のリソース要素（ＲＥ）に対応する。
【００３８】
図３Ａは、システムによって事前定義された２ポートＣＳＩ−ＲＳ構成パターンである。図３Ａでは、ＣＳＩ−ＲＳ構成パターンは、時間周波数単位として１つのＯＦＤＭシンボルを例として定義されている。２ポートＣＳＩ−ＲＳは、図の「構成１から構成６」に対応する６種類のＣＳＩ−ＲＳ構成パターンを持つように定義できる。各構成パターンは、１つのＯＦＤＭシンボルの２つの隣接するＲＥに対応する。
【００３９】
図３Ｂ〜３Ｄは、システムによって事前定義された４ポートＣＳＩ−ＲＳ構成パターンである。ここで、４ポートＣＳＩ−ＲＳ構成パターンａは、３種類（図３Ｂに示す）または５種類（図３Ｃに示す）のＣＳＩ−ＲＳ構成パターンを定義できる。各構成パターンは、１つのＯＦＤＭシンボルの隣接する４つのＲＥに対応する。図３Ｄは、４ポートＣＳＩ−ＲＳ構成パターンｂを示す。システムは、６種類のＣＳＩ−ＲＳ構成パターンを事前定義できる。各構成パターンは、２つのＯＦＤＭシンボル上の２つの隣接するＲＥに対応する。実際のアプリケーションでは、４ポートＣＳＩ−ＲＳパターンｂの構成は、再定義されることなく、２ポートＣＳＩ−ＲＳ構成パターンを再利用できる。
【００４０】
実際のアプリケーションでは、システムによって事前定義されたＣＳＩ−ＲＳ構成パターンは、基地局および端末によってよく知られている可能性がある。
【００４１】
本出願の一実施形態では、基地局は、システム事前定義に従ってＮポートＣＳＩ−ＲＳを構成し、ＮポートＣＳＩ−ＲＳの構成情報を決定することができ、構成情報は少なくとも。ポートの数およびインデックスパラメーターを含む。ポートの数はＮポートに対応する。つまり、ポートの数の値はＮである。インデックスパラメーターは、スロット内のＮポートのそれぞれまたは各集約部分（集約の場合）のＣＳＩ−ＲＳのリソース要素（ＲＥ）の時間周波数位置を示す。
【００４２】
インデックスパラメーターは、構成パターンインデックスおよびＯＦＤＭシンボルインデックスを含むことができ、構成パターンインデックスは、事前定義されたＣＳＩ−ＲＳ構成パターンに従って基地局によって決定されたＣＳＩ−ＲＳのＲＥの周波数領域上の位置インデックスであり得る。例えば、周波数領域のシステムにより、図３Ａの「構成１」に対応する構成パターンインデックスは「１」であり、これは、周波数領域のＲＥの位置インデックスが「１」であることを表す。図３Ａの「構成２」に対応する構成パターンインデックスは「２」であり、これは、周波数領域におけるＲＥの位置インデックスが「２」であることを表す。ＯＦＤＭシンボルインデックスは、時間領域におけるＣＳＩ−ＲＳのＲＥに対応するＯＦＤＭシンボルの位置、すなわち、１つのスロットにおけるＯＦＤＭシンボルインデックスを示し得る。
【００４３】
実際のアプリケーションでは、４ポートＣＳＩ−ＲＳの構成パターンｂについて、１つのＯＦＤＭシンボルのＯＦＤＭシンボルインデックスを端末に通知するだけでよく、端末は、スロット内のＣＳＩ−ＲＳのＲＥの時間周波数位置を知ることができる。たとえば、システムによって事前定義された４ポートＣＳＩ−ＲＳの構成パターンｂが図３Ｃの「構成２」に対応する場合、基地局はスロット内のＲＥ位置を表すＯＦＤＭシンボルインデックスのみを端末に通知できる。たとえば、ＯＦＤＭシンボルインデックスは４であり、端末は、ＯＦＤＭシンボルインデックスおよびシステムによって事前定義された既知の構成２に従って、スロット内のＣＳＩ−ＲＳのＲＥの時間周波数位置を決定できる。
【００４４】
もちろん、実際のアプリケーションでは、構成情報は、上で紹介したパラメーターに加えて、他のパラメーター情報、例えばＣＳＩ−ＲＳの期間などをさらに含むことができる。構成情報は、実際の状況に応じて当業者によって設定されてもよく、本出願の実施形態によって限定されない。
【００４５】
本出願の実施形態では、システムは、いくつかのポート（１ポート、２ポート、および４ポートなど）のＣＳＩ−ＲＳ構成パターンを事前定義し、一方、より高いポートのＣＳＩ−ＲＳ構成パターンは、システムによって事前定義されたＣＳＩ−ＲＳ構成パターンを集約することで取得できる。したがって、ポートの数の異なる場合に応じて、基地局は、それぞれ以下で説明される異なる方法を使用することにより、ＣＳＩ−ＲＳ構成情報を決定してもよい。
【００４６】
第１のケース：Ｎ＝１、２または４の場合、基地局は、システムによって事前定義されたＣＳＩ−ＲＳ構成パターンに従って、スロット内のＣＳＩ−ＲＳのＲＥのインデックスパラメーターを決定し、したがって、基地局は、Ｎポートのポートの数とインデックスパラメーターに従ってＣＳＩ−ＲＳ構成情報を決定できる。
【００４７】
すなわち、基地局が１ポート、２ポートまたは４ポートのＣＳＩ−ＲＳを構成するとき、基地局は、システムによって事前定義されたこれらのポートのＣＳＩ−ＲＳ構成パターンに従って、スロット内のＣＳＩ−ＲＳのＲＥの時間周波数位置を直接決定することができる。
【００４８】
第２のケース：Ｎ≧８の場合、構成情報は、スロット内のＮポートＣＳＩ−ＲＳのＲＥの集約モードを表す集約パラメーターをさらに含む。このようにして、基地局は、ＮポートＣＳＩ−ＲＳの集約パラメーターを決定し、システムによって事前定義されたＣＳＩ−ＲＳ構成パターンに従って、スロット内のＮポートＣＳＩ−ＲＳの各集約部分のＲＥのインデックスパラメーターそれぞれを決定してもよい。当該集約パラメーターは、スロット内のＮポートＣＳＩ−ＲＳのＲＥの集約モードを表す。次いで、基地局は、Ｎポートのポートの数、インデックスパラメーター、および集約パラメーターに従って、ＣＳＩ−ＲＳ構成情報を決定してもよい。
【００４９】
実際の応用において、シグナリングによってインデックスパラメーターを接続された端末に送信するとき、基地局は、以下の２つの方法を採用してもよいが、これらに限定されない。
【００５０】
第１の方法：基地局は、シグナリングによりＮポートＣＳＩ−ＲＳのすべてのＲＥの構成パターンインデックスおよびＯＦＤＭシンボルインデックスを端末に送信する。
【００５１】
第２の方法：基地局は、シグナリングにより、ＮポートＣＳＩ−ＲＳの少なくとも１つのＲＥの構成パターンインデックスおよびＯＦＤＭシンボルインデックスを端末に送信する。
【００５２】
すなわち、Ｎ≧８のとき、基地局は、すべてのシグナリングにより、集約のために、各ＣＳＩ−ＲＳ構成パターンの構成パターンインデックスおよびＯＦＤＭシンボルインデックスを端末に通知してもよい。または、それらの一部、たとえば、構成情報のデータ量を減らすためにシグナリングすることにより、１つまたは複数のＣＳＩ−ＲＳ構成パターンの構成パターンインデックスおよびＯＦＤＭシンボルインデックスを端末に通知してもよい。
【００５３】
ＮポートＣＳＩ−ＲＳの構成情報を決定した後、基地局は、構成情報に従って端末にＣＳＩ−ＲＳを送信し、シグナリング（例えば、高位層シグナリング）により構成情報を端末に送信することができる。これにより、スロット内のＮポートＣＳＩ−ＲＳのＲＥの時間周波数位置を端末に通知し、端末が時間周波数でＣＳＩ−ＲＳに従ってチャネル測定を実行するのに便利になる。
【００５４】
本出願の実施形態の応用シナリオを、特定の例により以下に説明する。
【００５５】
システムによって事前定義された２ポートおよび４ポートのＣＳＩ−ＲＳ構成パターンは、図３Ａ〜３Ｃに示される通りであると想定される。
【００５６】
第１のシナリオ：３２ポートＣＳＩ−ＲＳがシステムによって構成される場合、対応するＣＳＩ−ＲＳ構成パターンが図４に示され、「Ｘ」は文字を表す。システムがこの３２ポートＣＳＩ−ＲＳが８つの４ポートＣＳＩ−ＲＳ構成パターン（ｂ）を集約することによって取得されることを事前定義し、図４で同じ文字でマークされたＲＥが同じ４ポートＣＳＩ−ＲＳ構成パターンを表す場合、８つの４ポートＣＳＩ−ＲＳ構成パターンに対応するインデックスパラメーターは次のとおりである。
・構成２、ＯＦＤＭシンボルインデックス６（文字Ａが配置されているパターン）。
・構成３、ＯＦＤＭシンボルインデックス６（文字Ｂが配置されているパターン）。
・構成５、ＯＦＤＭシンボルインデックス６（文字Ｃが配置されているパターン）。
・構成６、ＯＦＤＭシンボルインデックス６（文字Ｄが配置されているパターン）。
・構成２、ＯＦＤＭシンボルインデックス１２（文字Ｅが配置されているパターン）。
・構成３、ＯＦＤＭシンボルインデックス１２（文字Ｆが配置されているパターン）。
・構成５、ＯＦＤＭシンボルインデックス１２（文字Ｇが配置されているパターン）。
・構成６、ＯＦＤＭシンボルインデックス１２（文字Ｈが配置されているパターン）。
ここで、「構成」とは、構成パターンのインデックスを指す。
【００５７】
次に、構成情報において、基地局は、ポートの数（すなわち、Ｎ＝３２）および上記の８つの構成パターンインデックスおよび８つのＯＦＤＭシンボルインデックスのすべてをシグナリングによって端末に通知するか、または２つのＯＦＤＭシンボルインデックス（６、１２）と各ＯＦＤＭシンボルの４つの構成パターンインデックス（２、３、５、６）を、シグナリングにより端末に通知することができる。
【００５８】
次に、端末は、構成情報に従って基地局によって送信されたＣＳＩ−ＲＳを受信し、同時に、基地局によって送信された３２ポートＣＳＩ−ＲＳの構成情報を受信する。３２ポートＣＳＩ−ＲＳは、８つの４ポートコンポーネントＣＳＩ−ＲＳ ＲＥパターン（ｂ）を集約することによって取得されるというシステム事前定義に従って、各ＣＳＩ−ＲＳ ＲＥパターンの時間周波数位置を決定して、チャネル測定とＣＳＩ計算を実行することができる。
【００５９】
第２のシナリオ：システムによって４ポートＣＳＩ−ＲＳ（Ｎ＝４）が構成され、パターンｂが使用される場合、図５に示すように：４ポートＣＳＩ−ＲＳに対応するインデックスパラメーターは次のとおりである。
・構成４、ＯＦＤＭシンボルインデックス４。
ここで、「構成」とは、構成パターンのインデックスを指す。
【００６０】
次に、基地局は、シグナリングによって構成パターンインデックスおよびＯＦＤＭシンボルインデックスを端末に通知することができる。
【００６１】
本出願の実施形態において、基地局は、ＣＳＩ−ＲＳの構成情報を決定し、シグナリングにより構成情報を端末に送信し、構成情報に従って端末にＣＳＩ−ＲＳを送信する。端末は、受信した構成情報に従ってＣＳＩ−ＲＳ構成パターンの構成パターンインデックスとＯＦＤＭシンボルインデックスを取得し、それによってＣＳＩ−ＲＳの時間周波数位置を決定し、時間周波数位置上のＣＳＩ−ＲＳを使用してチャネル測定を実施することができる。
【００６２】
第２の実施形態
図６に示されるように、同じ発明概念に基づいて、本出願の実施形態は、端末に適用されるチャネル測定方法をさらに提供し、この方法は以下のように説明され得る。
【００６３】
Ｓ２１：端末は、シグナリングを介して基地局によって送信されたＮポートＣＳＩ−ＲＳの構成情報を受信し、構成情報に従って基地局によって送信されたＣＳＩ−ＲＳを受信する。構成情報は、少なくともポート数とインデックスパラメーターを含み、インデックスパラメーターは、スロット内のＮ個のポートのそれぞれのＣＳＩ−ＲＳのＲＥの時間周波数位置を示し、Ｎは正の整数である。
【００６４】
Ｓ２２：端末は、構成情報およびシステムによって事前定義されたＣＳＩ−ＲＳ構成パターンに従って、スロット内のＮポートＣＳＩ−ＲＳのＲＥの時間周波数位置を決定する。ここで、ＣＳＩ−ＲＳ構成パターンは、ＰＲＢ内の少なくとも１つのＯＦＤＭシンボルが時間領域単位として使用される場合のスロット内の異なるポートのＣＳＩ−ＲＳのＲＥの時間周波数位置構成を表す。
【００６５】
Ｓ２３：端末は、時間周波数位置上のＣＳＩ−ＲＳを使用することによりチャネル測定を実行する。
【００６６】
具体的には、端末は、ユーザー機器などのような基地局のカバレッジエリア内のデバイスであり得る。
【００６７】
本出願の一実施形態では、基地局によって送信されたＮポートＣＳＩ−ＲＳの構成情報を高位層シグナリングを介して受信し、当該構成情報に従って基地局によって送信されたＣＳＩ−ＲＳを受信した後、端末は、少なくとも構成情報に含まれるポートの数およびインデックスパラメーターを取得してもよく、ポートの数の値は、Ｎ−ポートに対応してもよい。たとえば、Ｎ＝１６の場合、ポートの１６である。
【００６８】
インデックスパラメーターは、構成パターンインデックスおよびＯＦＤＭシンボルインデックスを含むことができ、構成パターンインデックスは、システムによって事前定義されたＣＳＩ−ＲＳ構成パターンに従って決定されたＣＳＩ−ＲＳのＲＥの周波数領域上の位置インデックスである。ＯＦＤＭシンボルインデックスは、時間領域におけるＣＳＩ−ＲＳのＲＥに対応するＯＦＤＭシンボルの位置を示す。
【００６９】
システムによって事前定義されたＣＳＩ−ＲＳ構成パターンは、ＰＲＢ内の１つまたは２つのＯＦＤＭシンボルを時間周波数として使用するときに、システムによって定義された異なるポートのＣＳＩ−ＲＳの対応するＣＳＩ−ＲＳ構成パターンを指し得る。システムによって事前定義されたＣＳＩ−ＲＳ構成パターンは、基地局と端末が認識している。本出願の一実施形態では、Ｓ１２においてシステムによって事前定義されたＣＳＩ−ＲＳ構成パターンは、例えばローカルまたはサーバから端末によって自動的に取得されてもよく、または基地局から、例えば基地局によって送信されるダウンリンクデータから取得されてもよい。システムによって事前定義されたＣＳＩ−ＲＳ構成パターンは、図３Ａ〜３Ｃに示された上記のパターンおよびその関連する説明を参照することができ、ここでは説明をくりかえさない。
【００７０】
Ｓ１２において、端末は、受信された構成情報のポートの数と、インデックスパラメーターと、システムによって定義されたＣＳＩ−ＲＳ構成パターンとに従って、スロット内のＣＳＩ−ＲＳのリソース要素（ＲＥ）の時間周波数位置を決定することができる。
【００７１】
例えば、基地局によって送信され、端末によって受信されるポートの数が４であり、同時に端末が基地局によって送信されたＣＳＩ−ＲＳ構成情報の構成パターンインデックスおよびＯＦＤＭシンボルインデックスを受信する場合、端末は、ポート数、構成パターンインデックス、ＯＦＤＭシンボルインデックス、およびシステムによって事前定義されたＣＳＩ−ＲＳ構成パターンに従って、スロット内のＣＳＩ−ＲＳのリソース要素（ＲＥ）の時間周波数位置を決定できる。
【００７２】
端末によって受信された構成情報が、スロット内のＣＳＩ−ＲＳのＲＥの集約モードを表す集約パラメーターをさらに含む場合、端末は、ポート数、集約パラメーター、インデックスパラメーター、およびシステムによって事前定義されたＣＳＩ−ＲＳ構成パターンに従って、スロット内ＣＳＩ−ＲＳの各集約部分の時間周波数位置を決定することができる。
【００７３】
もちろん、実際のアプリケーションでは、端末はシステム事前定義に従って集約パラメーターを自動的に決定することもでき、例えば、システムは４つの４ポートＣＳＩ−ＲＳ構成パターンａを集約することにより１６ポートが得られることを事前定義するか、または４つの４ポートＣＳＩ−ＲＳ構成パターンｂなどを集約することにより１６ポートが得られることを事前定義する。
【００７４】
端末が、受信した構成情報およびシステムによって事前定義されたＣＳＩ−ＲＳ構成パターンに従ってＣＳＩ−ＲＳの時間周波数位置を決定した後、インターフェースは、時間周波数位置上のＣＳＩ−ＲＳを使用して、チャネル測定とＣＳＩ計算を実行する。
【００７５】
第３の実施形態
図７に示すように、同じ発明思想に基づいて、本出願の実施形態は、図２のパイロット構成方法を実行するように構成することができ、構成モジュール３１および送信モジュール３２を含む基地局をさらに提供する。
【００７６】
構成モジュール３１は、システムによって事前定義されたチャネル状態情報基準信号（ＣＳＩ−ＲＳ）構成パターンに従って、ＮポートＣＳＩ−ＲＳの構成情報を決定するように構成されてもよい。ここで、前記ＣＳＩ−ＲＳ構成パターンは、物理リソースブロック（ＰＲＢ）内の少なくとも１つの直交周波数分割多重（ＯＦＤＭ）シンボルを時間領域単位とする場合、スロット内の異なるポートのＣＳＩ−ＲＳのリソース要素（ＲＥ）の時間周波数位置構成を表し、前記構成情報には、少なくともポート数とインデックスパラメーターが含まれ、前記ポート数の値はＮであり、前記インデックスパラメーターは、Ｎポート内のそれぞれのポートのスロット内のＣＳＩ−ＲＳのリソース要素（ＲＥ）の時間周波数位置を示し、Ｎは正の整数である。
【００７７】
送信モジュール３２は、シグナリングを介して前記基地局に接続された端末に前記構成情報を送信し、前記構成情報に従ってＣＳＩ−ＲＳを送信するように構成され、その結果、前記端末は、前記構成情報およびシステムによって事前定義されたＣＳＩ−ＲＳ構成パターンに従って、前記ＮポートＣＳＩ−ＲＳのＲＥのスロットにおける時間周波数位置を決定し、前記時間周波数位置上の前記ＣＳＩ−ＲＳを使用してチャネル測定を実行する。
【００７８】
任意選択で、前記インデックスパラメーターは、構成パターンインデックスおよびＯＦＤＭシンボルインデックスを含み、前記構成パターンインデックスは、前記システムによって事前定義されたＣＳＩ−ＲＳ構成パターンに従って決定される前記ＣＳＩ−ＲＳのＲＥの周波数領域上の位置インデックスであり、前記ＯＦＤＭシンボルインデックスは、時間領域における前記ＣＳＩ−ＲＳのＲＥに対応するＯＦＤＭシンボルの位置を示す。
【００７９】
任意選択で、Ｎ＝１、２または４のとき、前記構成モジュール３１は、
システムによって事前定義されたＣＳＩ−ＲＳ構成パターンに従って、スロット内の前記ＣＳＩ−ＲＳのＲＥのインデックスパラメーターを決定するように構成された第１の決定モジュールと、
前記Ｎポートのポート数および前記インデックスパラメーターに従って、前記ＣＳＩ−ＲＳの構成情報を決定するように構成された第２の決定モジュールとを備える。
【００８０】
任意選択で、Ｎ≧８のとき、前記構成情報は、スロット内の前記ＮポートＣＳＩ−ＲＳのＲＥの集約モードを示す集約パラメーターをさらに含む。このようにして、構成モジュール３１は、
前記ＮポートＣＳＩ−ＲＳの集約パラメーターを決定し、システムによって事前定義されたＣＳＩ−ＲＳ構成パターンに従って、スロット内の前記ＮポートＣＳＩ−ＲＳの各集約部分のＲＥのそれぞれのインデックスパラメーターを決定するように構成された第３の決定モジュールと、
前記Ｎポートのポート数、前記インデックスパラメーターおよび前記集約パラメーターに従って、前記ＣＳＩ−ＲＳの構成情報を決定するように構成された第４の決定モジュールとを備える。
【００８１】
任意選択で、任意選択で、シグナリングにより構成情報内のインデックスパラメーターを接続された端末に送信するとき、前記送信モジュール３２は以下のように構成される。
【００８２】
前記基地局において、シグナリングによって前記ＮポートＣＳＩ−ＲＳのすべてのＲＥの構成パターンインデックスおよびＯＦＤＭシンボルインデックスを前記端末に送信し、または
前記基地局において、シグナリングによって前記ＮポートＣＳＩ−ＲＳの少なくとも１つのＲＥの構成パターンインデックスおよびＯＦＤＭシンボルインデックスを前記端末に送信する。
【００８３】
第４の実施形態
図８に示されるように、同じ発明思想に基づいて、本出願の実施形態は、図６のチャネル測定方法を実行するために使用され、受信モジュール４１、決定モジュール４２、および測定モジュール４３を含む端末をさらに開示する。
【００８４】
受信モジュール４１は、シグナリングを通じて基地局によって送信されたＮポートＣＳＩ−ＲＳの構成情報を受信し、構成情報に従って基地局によって送信されたＣＳＩ−ＲＳを受信するように構成され得る。ここで、前記構成情報には、少なくともポート数とインデックスパラメーターが含まれ、前記インデックスパラメーターは、前記スロット内のＣＳＩ−ＲＳのリソース要素（ＲＥ）の時間周波数位置を示し、Ｎは正の整数である。
【００８５】
決定モジュール４２は、前記構成情報およびシステムによって事前定義されたＣＳＩ−ＲＳ構成パターンに従って、前記ＮポートＣＳＩ−ＲＳのＲＥのスロットにおける時間周波数位置を決定するように構成され得る。ここで、ＣＳＩ−ＲＳ構成パターンは、物理リソースブロック（ＰＲＢ）内の少なくとも１つの直交周波数分割多重（ＯＦＤＭ）シンボルを時間領域単位とするとして使用されるときのスロット内の異なるポートのＣＳＩ−ＲＳのＲＥの時間周波数位置の構成を表す。
【００８６】
測定モジュール４は、前記時間周波数位置上のＣＳＩ−ＲＳを使用してチャネル測定を実行するように構成され得る。
【００８７】
任意選択で、前記構成情報が、スロット内のＣＳＩ−ＲＳのＲＥの集約モードを表す集約パラメーターをさらに含むとき、決定モジュール４２は、前記ポート数、前記集約パラメーター、前記インデックスパラメーターおよびシステムによって事前定義されたＣＳＩ−ＲＳ構成パターンに従って、スロット内の前記ＮポートＣＳＩ−ＲＳの各集約部分の時間周波数位置を決定する。
【００８８】
第５の実施形態
本出願の実施形態は、図９に示されるように、プロセッサ５１、メモリ５２、および送受信機５３を含むコンピュータデバイスをさらに提供し、プロセッサ５１、メモリ５２、および送受信機５３の間はバスによって接続され得る。送受信機５３は、プロセッサ５１の制御下でデータを送受信する。例えば、ＣＳＩ−ＲＳ構成情報またはＣＳＩなどを送信／受信する。メモリ５２は、プリセットされたプログラムをその中に記憶する。プロセッサ５１は、メモリ５２に格納されたコンピュータプログラムを実行するとき本出願の第１および第２の実施形態により提供される方法のステップを実施するように構成される。
【００８９】
任意選択で、プロセッサ５１は、具体的には、中央プロセッサ、特定アプリケーション向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、プログラム実行を制御するための１つ以上の集積回路、フィールドプログラマブルゲートアレイ（Ｆｉｅｌｄ Ｐｒｏｇｒａｍｍａｂｌｅ Ｇａｔｅ Ａｒｒａｙ，ＦＰＧＡ）を使用することによって開発されたハードウェア回路、または、ベースバンドプロセッサであってもよい。
【００９０】
任意選択で、プロセッサ５１は少なくとも１つの処理コアを含むことができる。
【００９１】
任意選択で、電子デバイスのメモリ５２は、読み取り専用メモリ（ＲＯＭ）、ランダムアクセスメモリ（ＲＡＭ）、および磁気ディスクメモリを含むことができる。メモリ５２は、実行時にプロセッサ５１が必要とするデータを格納するように構成される。メモリ５２の数は１つ以上である。
【００９２】
第５の実施形態
本出願の一実施形態は、コンピュータで実行しているとき、本出願の第１の実施形態で提供されるパイロット構成方法および第２の実施形態のチャネル測定方法のステップを実施することができる、コンピュータ命令を記憶するコンピュータ可読記憶媒体をさらに提供する。
【００９３】
本出願の実施形態では、開示されたネットワークトラフィック監視方法およびネットワークトラフィック監視システムは、他の方法で実施され得ることを理解されたい。たとえば、上記のデバイスの実施形態は概略的なものにすぎず、たとえば、ユニットの分割は単に論理的な機能の分割にすぎない。実際の実施では、他の分割方法がある場合がある。たとえば、複数のユニットまたはコンポーネントを別のシステムに結合または統合したり、一部の機能を無視したり実行しないことがある。さらに、表示または説明された相互結合または直接結合または通信接続は、一部のインターフェース、デバイスまたはユニット間の間接結合または通信接続を通じて実施でき、電気的または他の形式でもよい。
【００９４】
本出願の実施形態では、様々な機能ユニットが１つの処理ユニットに統合されてもよく、または様々なユニットが独立した物理モジュールであってもよい。
【００９５】
統合ユニットがソフトウェア機能ユニットの形態で実施され、独立した製品として販売または使用される場合、統合ユニットは、コンピュータ読み取り可能な記憶媒体に格納されてもよい。そのような理解に基づいて、本出願の実施形態の技術的解決策のすべてまたは一部は、ソフトウェア製品の形態で具現化され得る。コンピュータソフトウェア製品は、記憶媒体に保存され、コンピュータデバイス（たとえば、パーソナルコンピュータ、サーバ、ネットワークデバイスなど）またはプロセッサが本出願の様々な実施形態の方法のステップのすべてまたは一部を実行できるようにするために使用されるいくつかの命令を含む。上記の記憶媒体には、ユニバーサルシリアルバス（ＵＳＢ）フラッシュドライブ、モバイルハードディスク、読み取り専用メモリ（ＲＯＭ）、ランダムアクセスメモリ（ＲＡＭ）、磁気ディスクまたはコンパクトディスク、またはプログラムコードを格納できるさまざまなメディアが含まれる。本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つまたは複数のコンピュータプログラム製品の形式を採用できる。当該製品はコンピュータ使用可能なプログラムコードを含むコンピュータ使用可能な記憶媒体（ディスク記憶装置、ＣＤ−ＲＯＭ、光学記憶装置等を含むがそれとは限らない）において実施する。
【００９６】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できることである。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における一つまたは複数のフローおよび／またはブロック図における一つまたは複数のブロックに指定する機能を実現する。
【００９７】
これらのコンピュータプログラム指令はまた、コンピュータまたは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つまたは複数のフローおよび／またはブロック図における一つまたは複数のブロックに指定する機能を実現する。
【００９８】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を実現し、コンピュータまたは他のプログラム可能な設備において実行される指令によって、フロー図における一つまたは複数のフローおよび／またはブロック図における一つまたは複数のブロックに指定する機能を実現する。
【００９９】
上述した実施形態に記述された技術的な解決手段を改造し、またはその中の一部の技術要素を置換することもできる。そのような、改造と置換は本発明の各実施形態の技術の範囲から逸脱するとは見なされない。
【０１００】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１０１】
３１  構成モジュール
３２  送信モジュール
４１  受信モジュール
４２  決定モジュール
４３  測定モジュール
５１  プロセッサ
５２  メモリ
５３  送受信機
【図１】
2020530961.tif 000003
【図２】
2020530961.tif 000004
【図３Ａ】
2020530961.tif 000005
【図３Ｂ】
2020530961.tif 000006
【図３Ｃ】
2020530961.tif 000007
【図３Ｄ】
2020530961.tif 000008
【図４】
2020530961.tif 000009
【図５】
2020530961.tif 000010
【図６】
2020530961.tif 000011
【図７】
2020530961.tif 000012
【図８】
2020530961.tif 000013
【図９】
2020530961.tif 000014
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
基地局が、システムによって事前定義されたチャネル状態情報基準信号（ＣＳＩ−ＲＳ）構成パターンに従って、ＮポートＣＳＩ−ＲＳの構成情報を決定するステップと、
前記基地局が、シグナリングによって前記基地局に接続された端末に前記構成情報を送信し、前記構成情報に従ってＣＳＩ−ＲＳを送信し、その結果、前記端末に、前記構成情報およびシステムによって事前定義されたＣＳＩ−ＲＳ構成パターンに従って、前記ＮポートＣＳＩ−ＲＳのＲＥのスロットにおける時間周波数位置を決定し、前記時間周波数位置上の前記ＣＳＩ−ＲＳを使用してチャネル測定を実行させるようにするステップとを有し、
前記ＣＳＩ−ＲＳ構成パターンは、物理リソースブロック（ＰＲＢ）内の少なくとも１つの直交周波数分割多重（ＯＦＤＭ）シンボルを時間領域単位とする場合、スロット内の異なるポートのＣＳＩ−ＲＳのリソース要素（ＲＥ）の時間周波数位置構成を表し、前記構成情報には、少なくともポート数とインデックスパラメーターが含まれ、前記ポート数の値はＮであり、前記インデックスパラメーターは、Ｎポート内のそれぞれのポートのスロット内のＣＳＩ−ＲＳのリソース要素（ＲＥ）の時間周波数位置を示し、Ｎは正の整数であることを特徴とする基地局に適用するパイロット構成方法。
【請求項２】
前記インデックスパラメーターは、構成パターンインデックスおよびＯＦＤＭシンボルインデックスを含み、前記構成パターンインデックスは、前記システムによって事前定義されたＣＳＩ−ＲＳ構成パターンに従って決定される前記ＣＳＩ−ＲＳのＲＥの周波数領域上の位置インデックスであり、前記ＯＦＤＭシンボルインデックスは、時間領域における前記ＣＳＩ−ＲＳのＲＥに対応するＯＦＤＭシンボルの位置を示すことを特徴とする請求項１に記載される基地局に適用するパイロット構成方法。
【請求項３】
Ｎ＝１、２または４のとき、
前記基地局が、システムによって事前定義されたＣＳＩ−ＲＳ構成パターンに従って、ＮポートＣＳＩ−ＲＳの構成情報を決定するとき、
前記基地局は、システムによって事前定義されたＣＳＩ−ＲＳ構成パターンに従って、スロット内のＮポートＣＳＩ−ＲＳのＲＥのインデックスパラメーターを決定し、
前記基地局は、前記Ｎポートのポート数および前記インデックスパラメーターに従って、前記ＣＳＩ−ＲＳの構成情報を決定することを特徴とする請求項２に記載される基地局に適用するパイロット構成方法。
【請求項４】
Ｎ≧８のとき、前記構成情報は、スロット内の前記ＮポートＣＳＩ−ＲＳのＲＥの集約モードを示す集約パラメーターをさらに含み、
前記基地局が、システムによって事前定義されたＣＳＩ−ＲＳ構成パターンに従って、ＮポートＣＳＩ−ＲＳの構成情報を決定するとき、
前記基地局は、前記ＮポートＣＳＩ−ＲＳの集約パラメーターを決定し、システムによって事前定義されたＣＳＩ−ＲＳ構成パターンに従って、スロット内の前記ＮポートＣＳＩ−ＲＳの各集約部分のＲＥのそれぞれのインデックスパラメーターを決定し、
前記基地局は、前記Ｎポートのポート数、前記インデックスパラメーターおよび前記集約パラメーターに従って、前記ＣＳＩ−ＲＳの構成情報を決定することを特徴とする請求項２に記載される基地局に適用するパイロット構成方法。
【請求項５】
前記基地局が、シグナリングによって前記構成情報中のインデックスパラメーターを接続された端末に送信するとき、
前記基地局は、シグナリングによって前記ＮポートＣＳＩ−ＲＳのすべてのＲＥの構成パターンインデックスおよびＯＦＤＭシンボルインデックスを前記端末に送信し、または
前記基地局は、シグナリングによって前記ＮポートＣＳＩ−ＲＳの少なくとも１つのＲＥの構成パターンインデックスおよびＯＦＤＭシンボルインデックスを前記端末に送信することを特徴とする請求項４に記載される基地局に適用するパイロット構成方法。
【請求項６】
端末が、シグナリングを介して基地局によって送信されたＮポートチャネル状態基準信号（ＣＳＩ−ＲＳ）の構成情報を受信し、前記構成情報に従って前記基地局によって送信されたＣＳＩ−ＲＳを受信するステップと、
前記端末が、前記構成情報およびシステムによって事前定義されたＣＳＩ−ＲＳ構成パターンに従って、スロット内の前記ＮポートＣＳＩ−ＲＳの時間周波数位置を決定するステップと、
前記端末が、前記時間周波数位置上のＣＳＩ−ＲＳを使用してチャネル測定を実行するステップとを有し、
ここで、前記構成情報には、少なくともポート数とインデックスパラメーターが含まれ、前記インデックスパラメーターは、Ｎポート内のそれぞれのポートのスロット内のＣＳＩ−ＲＳのリソース要素（ＲＥ）の時間周波数位置を示し、Ｎは正の整数であり、
ここで、ＣＳＩ−ＲＳ構成パターンは、物理リソースブロック（ＰＲＢ）内の少なくとも１つの直交周波数分割多重（ＯＦＤＭ）シンボルを時間領域単位とする場合、異なるポートのＣＳＩ−ＲＳのＲＥのスロットにおける時間周波数位置の構成を表すことを特徴とする端末に適用するチャネル測定方法。
【請求項７】
前記構成情報は、スロット内の前記ＮポートＣＳＩ−ＲＳのＲＥの集約モードを示す集約パラメーターをさらに含み、
前記端末が、前記構成情報およびシステムによって事前定義されたＣＳＩ−ＲＳ構成パターンに従って、前記ＮポートＣＳＩ−ＲＳのＲＥのスロットにおける時間周波数位置を決定するとき、
前記端末は、前記ポート数、前記集約パラメーター、前記インデックスパラメーターおよびシステムによって事前定義されたＣＳＩ−ＲＳ構成パターンに従って、スロット内の前記ＮポートＣＳＩ−ＲＳの各集約部分の時間周波数位置を決定することを特徴とする請求項６に記載の端末に適用するチャネル測定方法。
【請求項８】
システムによって事前定義されたチャネル状態情報基準信号（ＣＳＩ−ＲＳ）構成パターンに従って、ＮポートＣＳＩ−ＲＳの構成情報を決定するように構成された構成モジュールと、
シグナリングを介して基地局に接続された端末に前記構成情報を送信し、前記構成情報に従ってＣＳＩ−ＲＳを送信し、前記端末に、前記構成情報およびシステムによって事前定義されたＣＳＩ−ＲＳ構成パターンに従って、前記ＮポートＣＳＩ−ＲＳのＲＥのスロットにおける時間周波数位置を決定し、前記時間周波数位置上のＣＳＩ−ＲＳを使用してチャネル測定を実行させるようにする送信モジュールとを備え、
ここで、前記ＣＳＩ−ＲＳ構成パターンは、物理リソースブロック（ＰＲＢ）内の少なくとも１つの直交周波数分割多重（ＯＦＤＭ）シンボルを時間領域単位とする場合、スロット内の異なるポートのＣＳＩ−ＲＳのリソース要素（ＲＥ）の時間周波数位置構成を表し、前記構成情報には、少なくともポート数とインデックスパラメーターが含まれ、前記ポート数の値はＮであり、前記インデックスパラメーターは、Ｎポート内のそれぞれのポートのスロット内のＣＳＩ−ＲＳのリソース要素（ＲＥ）の時間周波数位置を示し、Ｎは正の整数であることを特徴とする基地局。
【請求項９】
前記インデックスパラメーターは、構成パターンインデックスおよびＯＦＤＭシンボルインデックスを含み、前記構成パターンインデックスは、前記システムによって事前定義されたＣＳＩ−ＲＳ構成パターンに従って決定される前記ＣＳＩ−ＲＳのＲＥの周波数領域上の位置インデックスであり、前記ＯＦＤＭシンボルインデックスは、時間領域における前記ＣＳＩ−ＲＳのＲＥに対応するＯＦＤＭシンボルの位置を示すことを特徴とする請求項８に記載の基地局。
【請求項１０】
Ｎ＝１、２または４のとき、
前記構成モジュールは、
システムによって事前定義されたＣＳＩ−ＲＳ構成パターンに従って、スロット内の前記ＣＳＩ−ＲＳのＲＥのインデックスパラメーターを決定するように構成された第１の決定モジュールと、
前記Ｎポートのポート数および前記インデックスパラメーターに従って、前記ＣＳＩ−ＲＳの構成情報を決定するように構成された第２の決定モジュールとを備えることを特徴とする請求項９に記載の基地局。
【請求項１１】
Ｎ≧８のとき、前記構成情報は、スロット内の前記ＮポートＣＳＩ−ＲＳのＲＥの集約モードを示す集約パラメーターをさらに含み、
前記構成モジュールは、
前記ＮポートＣＳＩ−ＲＳの集約パラメーターを決定し、システムによって事前定義されたＣＳＩ−ＲＳ構成パターンに従って、スロット内の前記ＮポートＣＳＩ−ＲＳの各集約部分のＲＥのそれぞれのインデックスパラメーターを決定するように構成された第３の決定モジュールと、
前記Ｎポートのポート数、前記インデックスパラメーターおよび前記集約パラメーターに従って、前記ＣＳＩ−ＲＳの構成情報を決定するように構成された第４の決定モジュールとを備えることを特徴とする請求項９に記載の基地局。
【請求項１２】
前記送信モジュールが、シグナリングを介して前記構成情報中のインデックスパラメーターを接続された端末に送信するとき、
前記基地局において、シグナリングによって前記ＮポートＣＳＩ−ＲＳのすべてのＲＥの構成パターンインデックスおよびＯＦＤＭシンボルインデックスを前記端末に送信し、または
前記基地局において、シグナリングによって前記ＮポートＣＳＩ−ＲＳの少なくとも１つのＲＥの構成パターンインデックスおよびＯＦＤＭシンボルインデックスを前記端末に送信することを特徴とする請求項１１に記載の基地局。
【請求項１３】
シグナリングを介して基地局によって送信されたＮポートチャネル状態基準信号（ＣＳＩ−ＲＳ）の構成情報を受信し、前記構成情報に従って前記基地局によって送信されたＣＳＩ−ＲＳを受信するように構成された受信モジュールと、
前記構成情報およびシステムによって事前定義されたＣＳＩ−ＲＳ構成パターンに従って、前記ＮポートＣＳＩ−ＲＳのＲＥのスロットにおける時間周波数位置を決定するように構成された決定モジュールと、
前記時間周波数位置上のＣＳＩ−ＲＳを使用してチャネル測定を実行するように構成された測定モジュールとを備え、
ここで、前記構成情報には、少なくともポート数とインデックスパラメーターが含まれ、前記インデックスパラメーターは、前記スロット内のＣＳＩ−ＲＳのリソース要素（ＲＥ）の時間周波数位置を示し、Ｎは正の整数であり、
ここで、ＣＳＩ−ＲＳ構成パターンは、物理リソースブロック（ＰＲＢ）内の少なくとも１つの直交周波数分割多重（ＯＦＤＭ）シンボルを時間領域単位とする場合、異なるポートのＣＳＩ−ＲＳのＲＥのスロットにおける時間周波数位置の構成を表すことを特徴とする端末。
【請求項１４】
前記構成情報は、スロット内の前記ＣＳＩ−ＲＳのＲＥの集約モードを表す集約パラメーターをさらに含み、
前記決定モジュールは、前記ポート数、前記集約パラメーター、前記インデックスパラメーターおよびシステムによって事前定義されたＣＳＩ−ＲＳ構成パターンに従って、スロット内の前記ＮポートＣＳＩ−ＲＳの各集約部分の時間周波数位置を決定することを特徴とする請求項１３に記載の端末。
【請求項１５】
コンピュータで実行されたときに、コンピュータに請求項１から７のいずれか一項に記載の方法を実行させるコンピュータ命令を格納するコンピュータ可読記憶媒体。
【国際調査報告】
2020530961.tif 000015
2020530961.tif 000016
2020530961.tif 000017
2020530961.tif 000018